(57)【特許請求の範囲】
【請求項１】
下端側の横断面形状が略円形状となった柱状の筐体と、この筐体の上端部分で且つその中心軸から外れた偏心部位から上方に向けて延出された端子とを備えた部品を作業盤上にて整列させる部品整列装置であって、前記作業盤の上面側に円筒状の部品挿入穴を複数個設け、それぞれの部品挿入穴に前記部品の下端側を挿入配置し、かつ前記作業盤の上方には、部品端子の上端と当接して上方から押圧する押圧板を設け、前記作業盤に接続した駆動体によって前記作業盤を円周方向に回動させるようにした部品整列装置。
【請求項２】
押圧板の部品端子と当接する部分に、それぞれが独立懸架された加重体を設けたことを特徴とする請求項１に記載の部品整列装置。
【請求項３】
加重体の下面側に切欠き部が設けられたことを特徴とする請求項２に記載の部品整列装置。
【発明の詳細な説明】
【０００１】
【発明の属する技術分野】
本発明は、下端側の横断面形状が略円形状となった柱状筐体と、この柱状筐体の上端部分で且つその中心部分から外れた偏心部位から上方に向けて延出された端子とを備えた部品を、作業盤上で整列させる部品整列装置に関するものである。
【０００２】
【従来の技術】
一般に、複数の同一部品に対して一括して同じ作業を施す場合、複数の部品を作業盤上に配置してから作業するものである。
【０００３】
【発明が解決しようとする課題】
そして、部品形状が図１に示される如く、筐体１の上端部分で且つその中心軸２から外れた偏心部位から上方へ延出した端子３を備えたようなものであれば、端子３の位置によって個々の部品に方向性が生じるためその向きを合わせて配置しなければ作業効率が悪くなってしまう。そのため、作業者は作業盤上に配置された部品の端子３の向きを揃えなければならなかった。
【０００４】
そこで、本発明はこのような煩わしい部品整列作業を自動化する部品整列装置を提案するものである。
【０００５】
【課題を解決するための手段】
そして、この目的を達成するため本発明の部品整列装置は、作業盤の上面側に円筒状の部品挿入穴を複数個設け、それぞれの部品挿入穴に部品の下端側を挿入配置し、かつ前記作業盤の上方には、部品端子の上端と当接して上方から押圧する押圧板を設け、前記作業盤に接続した駆動体によって前記作業盤を円周方向に回動させるようにしたものである。
【０００６】
【発明の実施の形態】
本発明の請求項１に記載の発明は、下端側の横断面形状が略円形状となった柱状の筐体と、この筐体の上端部分で且つその中心軸から外れた偏心部位から上方に向けて延出された端子とを備えた部品を作業盤上にて整列させる部品整列装置であって、前記作業盤の上面側に円筒状の部品挿入穴を複数個設け、それぞれの部品挿入穴に前記部品の下端側を挿入配置し、かつ前記作業盤の上方には、部品端子の上端と当接して上方から押圧する押圧板を設け、前記作業盤に接続した駆動体によって前記作業盤を円周方向に回動させるようにしたもので、この部品整列装置によれば、作業盤の回動によって発生する遠心力及び摩擦力によって各部品の端子方向を整列させることができ、そしてその時に、部品が部品挿入穴内から飛び出したりして破損するのを防止することが出来るものである。
【０００７】
請求項２に記載の発明は、押圧板の部品の端子の上端と当接する部分に、個々の部品に対してそれぞれが独立懸架された加重体を設けたことを特徴とする請求項１に記載の部品整列装置であって、個々の部品がそれぞれの独立した加重体で押圧されることにより、部品の位置による押圧の差がなく複数の部品を同じ状態で回転整列させることが出来るものである。
【０００８】
請求項３に記載の発明は、加重体の下面側に切欠き部が設けられたことを特徴とする請求項２に記載の部品整列装置であって、切欠き部が設けられた所定の位置で部品の回転が停止することにより、部品の整列に要する時間を短縮することが出来るものである。
【０００９】
以下、本発明の一実施の形態を図面を用いて説明する。
【００１０】
図１は、ラジエター内の水温等を検出する部品として用いられる水温計４の斜視図である。この水温計４は、下端側が円柱状或いは円錐台状というようなその横断面形状が略円形状となった筐体１から構成されており、上端側には筐体１の中心軸２から外れた偏心位置から上方に向かって導出された端子３が設けられた構成となっている。そして、この水温計４は、筐体１内に設けられたサーミスタ素子の温度変化に伴う抵抗値の変化を端子３から検出しラジエター内の水温を算出可能とするものである。
【００１１】
このような水温計４は、製造工程内において組立完了後に外観検査を行うものであり、この外観検査は図２に示されるように作業盤５の上面側に設けられた複数の部品挿入穴６のそれぞれに水温計４を挿入配置し、一括して検査を行うのである。このとき、前述したように水温計４の上端側には中心軸２から外れた偏心位置に端子３が設けられているので、外観検査を行う際にその向きを揃える必要が生じるのである。
【００１２】
そこで、複数の水温計４を挿入配置した作業盤５を水平な状態で破線で示す駆動体７のアーム７ａに接続し、作業盤５を図３の矢印で示すように水平方向に回動させるのである。なお、アーム７ａの駆動に伴って作業盤５がその接続部分を中心として回転しないように作業盤はアーム７ａの先端部分に十分に固定されている。
【００１３】
このように複数の水温計４を挿入配置した作業盤５を回動した場合、それぞれの水温計４は図４に示す如く、作業盤５が矢印８で示すように回動することによって、水温計４に遠心力が加わり部品挿入穴６の内周側面に当接する。そして、この当接によって生じる摩擦力により水温計４は作業盤５の回動方向（矢印８）とは逆の矢印９の方向に回転するのである。つまり、作業盤５に設けられた複数の水温計４が個々に回転するようになるので、この回転を利用して水温計４を整列させることが出来るのである。
【００１４】
さらに、この部品挿入穴６は底面から開口端側に向けて拡開した形状となっている。部品挿入穴６をこのような形状とすることで、水温計４が遠心力を受けて部品挿入穴６の内周側面に当接した際に、水温計４が内周側面の傾斜に沿って傾いた状態となる。この傾いた状態で水温計４にはさらに遠心力が加わり、水温計４が部品挿入穴６の傾斜に沿って押し上げられるため、水温計４の自重が見かけ上軽減され水温計４の回転をスムーズなものと出来るのである。
【００１５】
さらにまた、この部品挿入穴６の内周側面の表面と、筐体１の外周表面とは、微小な凹凸が形成された粗面の状態となっている。このことによって、水温計４と部品挿入穴６の当接部分は面で当接するのではなく、複数の細かな点同士で当接することとなる。つまり、水温計４と部品挿入穴６の当接によって発生する摩擦力が、複数の当接点によって発生するので、単に面で当接するものより大きな係合力を発生させることが出来るのである。
【００１６】
また、部品挿入穴６の内周側面の表面部分にシリコンゴムなどの弾性体からなる膜を形成することにより、筐体１の外周表面に凹凸を形成しなくても水温計４と部品挿入穴６の当接部分の密着性が高くなり、摩擦力をさらに大きくすることが出来るのである。
【００１７】
さらに、作業盤５の上方には図５に示す如く、水温計４の端子３上端に当接するように押圧板１０が配置されており、水温計４を回転整列させる作業盤５の回動時に、その遠心力によって水温計４が部品挿入穴６から飛び出すのを防止したり、作業盤５の回動に伴う細かな振動を抑制し水温計４の破損を防止することが出来るのである。
【００１８】
この押圧板１０は、上フレーム１０ａ、下フレーム１０ｂ及び複数の加重体１１とから構成され、支持体１２によって作業盤５上に固定されている。そして、個々の加重体１１は、下フレーム１０ｂの各水温計４に対応する位置に設けられた位置決孔１０ｃに挿入されて、個々が独立して上下方向に移動可能な状態に懸架されている。
【００１９】
このような押圧板１０を用いて、水温計４を上方から押圧した場合、個々の加重体１１がそれぞれ独立懸架されているので、水温計４に対して加重体が自重によってのみ押圧することとなり、複数の水温計が同じ条件で回転整列できるのである。
【００２０】
また、加重体１１の下面側には切欠き部１１ａが設けられており、水温計４が回転して端子３の位置が切欠き部１１ａに到達したときに、加重体１１が自重によって下降して端子３と係合することにより、水温計４の回転を係止させるものである。つまり、複数の水温計４が個々に回転する中で、切欠き部１１ａが設けれらた所定の位置で順次回転を停止するので作業盤５に対して水温計４の整列方向が決定できるとともに、水温計４の整列に要する時間を最短のものと出来るのである。
【００２１】
そして、この加重体１１は、端子３が所定の回転位置となった時に下降するのであるが、加重体１１の上端側に設けられたフランジ部１１ｂが下フレーム１０ｂの上面と当接しその位置で係止され、切欠き部１１ａの上端面が端子３の上端に当たらないように設定されているので、水温計４の回転を係止させる際に起こり得る端子３の変形等を防止したものとなっている。
【００２２】
なお、加重体１１を独立懸架するにあたっては、各加重体１１に設けられた貫通孔１１ｃにワイヤー１３を通して支持しており、このワイヤー１３がテフロン等の樹脂により成形されたものであることから適度な直進性を有し、加重体１１が押圧板に対して回転するのを防止したものとなっている。
【００２３】
【発明の効果】
以上のように本発明によれば、作業盤と接続可能な駆動体と、前記作業盤の上方に配置されるとともに部品の端子と当接する押圧板とを備え、前記作業盤が前記駆動体によって水平方向で且つ円周方向に回転移動する構成としているため、部品整列作業を自動化した部品整列装置を提供することが出来るのである。
【図面の簡単な説明】
【図１】  水温計の斜視図
【図２】  本発明の一実施の形態の部品整列装置を示す斜視図
【図３】  同部品整列装置における作業盤の回動を示す上面図
【図４】  同部品整列装置の部品挿入穴部分の断面図
【図５】  同部品整列装置の押圧板を含む部品挿入穴部分の断面図
【符号の説明】
１  筐体
２  中心軸
３  端子
４  水温計
５  作業盤
６  部品挿入穴
７  駆動体
【図１】
0004022995.tif 000002
【図２】
0004022995.tif 000003
【図３】
0004022995.tif 000004
【図４】
0004022995.tif 000005
【図５】
0004022995.tif 000006